(57)【要約】【課題】タイル表面と張出部との間の段差面の色調を改良することにより、著しく美観に優れたタイル仕上面とすることができるタイル及びその施工構造を提供する。【解決手段】段付きタイル１は、タイル素地として比較的暗色のものを用いて形成され、本体１Ａの表面５に明色系の釉薬を施釉することにより、張出部１Ｂの表面（張出面）７の明度よりも高くしている。また、張出部１Ｂと表面５との間の段差面６にあっては、表面５と張出面７との中間の明度と釉薬を施釉している。表面５の明度が最も高く、段差面６の明度がそれよりも低く、張出面７の明度がさらに低くなっているため、目地の陰影が強調され、立体感に富んだ美観に優れた仕上りを得ることができる。明度の代りに色彩を異ならせ、段差面６の少なくとも一部の色彩を表面５のものと張出面７のものとの中間としてもよい。【選択図】図１
2006291600.tif 000002
【特許請求の範囲】
【請求項１】
タイルの木端面の後縁側から側方に張り出す張出部が、一側辺部又は隣接する二側辺部に設けられ、かつ、該張出部が設けられた側辺部に対向する側辺部には、タイル木端面の後縁側を切り欠いた形状の凹欠部が設けられたタイルであって、
該タイルの表面と該張出部とで色彩又は明度が異なるタイルにおいて、
該表面と張出部との段差面の少なくとも一部の色彩又は明度が、該表面の色彩又は明度と該張出部の色彩又は明度の中間のものとなっていることを特徴とするタイル。
【請求項２】
請求項１において、該段差面の該張出部側の色彩又は明度が、該表面の色彩又は明度と該張出部の色彩又は明度の中間のものとなっていることを特徴とするタイル。
【請求項３】
請求項１又は２において、該段差面の色彩又は明度が該張出部側ほど該張出部の色彩又は明度に近づくことを特徴とするタイル。
【請求項４】
タイルの木端面の後縁側から側方に張り出す張出部が、一側辺部又は隣接する二側辺部に設けられ、かつ、該張出部が設けられた側辺部に対向する側辺部には、タイル木端面の後縁側を切り欠いた形状の凹欠部が設けられたタイルを、該張出部を隣接するタイルの凹欠部内に挿入するようにして施工するタイル施工構造において、該タイルが請求項１ないし３のいずれか１項に記載のタイルであることを特徴とするタイル施工構造。
【発明の詳細な説明】
【技術分野】
【０００１】
本発明はタイル及びその施工構造に係り、特に、施工が容易で、しかも装飾性に優れたタイル施工面を形成することができるタイル及びその施工構造に関する。
【背景技術】
【０００２】
従来、タイルの施工法としては、躯体表面にモルタルを介してタイルを直接張り付ける湿式手張り工法が主に採用されている。しかしながら、このような湿式手張り工法では、工期が長く、職人の工賃が嵩んだり、張り付け強度にムラがあったりするという問題がある。また、目地の色にもムラが出易く、美麗なタイル施工面を形成することが困難であるという問題もある。
【０００３】
このような問題を解決するために、躯体にタイル係止用の凸部又は凹部を設け、タイルの裏面を該凹部又は凸部に係止する方法も行なわれている。
【０００４】
この方法は、例えば、第３図に示す如く、躯体１１の凸部１２に、裏面に凹条１３が形成されたタイル１４を係止することにより取り付ける。図中、１５は不定形シーリング材である。ここで、用いられるタイル１４は、上辺部分に突出する張出部１４ａが設けられ、下辺部分に該張出部１４ａが差し込まれる凹欠部１４ｂが形成されている。このようなタイル１４では、タイル上辺部分の張出部１４ａが下辺部分の凹欠部１４ｂに差し込まれるため、目地材は不要とされ、容易かつ効率的な施工を行なうことができる。
【０００５】
ところで、タイルは通常所定配合の坏土成形体を焼成して製造されるため、その表面はすべて同様の色調を呈する。
【０００６】
このため、第３図に示す如く、タイル１４の上辺部分の張出部１４ａをタイル下辺部分の凹欠部１４ｂに差し込んでタイル１４を取り付けた際、隣接するタイル間の目地に相当する張出部１４ａの表出部１４ｃは、当然タイル１４の本体の表面と同様の色調となる。
【０００７】
このため、形成されたタイル施工面は、タイル表面も目地相当部もすべて同様の色調となり、目地相当部の存在がはっきりしない。このため、メリハリのない単一壁面のように認められる、即ち、タイル施工面は、タイルの形状、大きさ、色調と、目地間隔、目地の色調等の調和により豊かな装飾性を演出するものであるところから、目地部もタイル部も全く同様の色調のタイル施工面では、タイル本来の美観を引き出すことはできない。
【０００８】
そこで、タイルの木端面の後縁側から側方に張り出す張出部が、一側辺部又は隣接する二側辺部に設けられ、かつ、該張出部が設けられた側辺部に対向する側辺部には、タイル木端面の後縁側を切り欠いた形状の凹欠部が設けられたタイル（以下「段付きタイル」ということがある。）を、該張出部を隣接するタイルの凹欠部内に挿入するようにして施工するタイル及びその施工構造において、タイル表面の明度を該張出部の明度よりも高くしたタイルを、該明度の低い張出部が施工表面に露出するように施工することが、特公平８−３３０７１号公報、特開平８−４２１１２号、特開平９−２３５８５５号に記載されている。
【０００９】
かかるタイル及びその施工構造であれば、壁面に露出して目地相当部を構成する張出部の明度が低く、タイル本体表面の明度が高いため、この明暗のコントラストにより、目地部を明確にすると共に、タイル本体表面をくっきりと浮き上がらせることができる。このため、タイル本来の美観を十分に生かした、美麗なタイル施工面を形成することができる。
【特許文献１】特公平８−３３０７１号
【特許文献２】特開平８−４２１１２号
【特許文献３】特開平９−２３５８５５号
【発明の開示】
【発明が解決しようとする課題】
【００１０】
本発明は、タイル表面と張出部との間の段差面の色調を改良することにより、著しく美観に優れたタイル仕上面とすることができるタイル及びその施工構造を提供することを目的とする。
【課題を解決するための手段】
【００１１】
請求項１のタイルは、タイルの木端面の後縁側から側方に張り出す張出部が、一側辺部又は隣接する二側辺部に設けられ、かつ、該張出部が設けられた側辺部に対向する側辺部には、タイル木端面の後縁側を切り欠いた形状の凹欠部が設けられたタイルであって、該タイルの表面と該張出部とで色彩又は明度が異なるタイルにおいて、該表面と張出部との段差面の少なくとも一部の色彩又は明度が、該表面の色彩又は明度と該張出部の色彩又は明度の中間のものとなっていることを特徴とするものである。
【００１２】
請求項２のタイルは、請求項１において、該段差面の該張出部側の色彩又は明度が、該表面の色彩又は明度と該張出部の色彩又は明度の中間のものとなっていることを特徴とするものである。
【００１３】
請求項３のタイルは、請求項１又は２において、該段差面の色彩又は明度が該張出部側ほど該張出部の色彩又は明度に近づくことを特徴とするものである。
【００１４】
請求項４のタイル施工構造は、タイルの木端面の後縁側から側方に張り出す張出部が、一側辺部又は隣接する二側辺部に設けられ、かつ、該張出部が設けられた側辺部に対向する側辺部には、タイル木端面の後縁側を切り欠いた形状の凹欠部が設けられたタイルを、該張出部を隣接するタイルの凹欠部内に挿入するようにして施工するタイル施工構造において、該タイルが請求項１ないし３のいずれか１項に記載のタイルであることを特徴とするものである。
【発明の効果】
【００１５】
本発明のタイル及びその施工構造にあっては、表面と張出部との間の段差面の少なくとも一部の明度又は色彩が、該表面のものと張出部のものとの中間となっているので、目地部の陰影感が強調され、美観が向上する。
【００１６】
この段差面の張出部側の明度又は色彩をこのように表面と張出部との中間とすることにより、あるいは、段差面の張出部側ほど張出部側の明度又は色彩に近くなるようにすることにより、陰影感がさらに強調され、美観が一段と向上する。
【発明を実施するための最良の形態】
【００１７】
以下に図面を参照して本発明の実施の形態を詳細に説明する。
【００１８】
第１図は本発明で使用される段付きタイルの一実施例を示す図であって、各々、第１図の（ａ）図は斜視図、（ｂ）図は（ａ）図のＢ−Ｂ線に沿う断面図である。
【００１９】
第１図に示す段付きタイル１は、本体１Ａの一つの側辺部に、タイルの木端面の後縁側から側方に張り出す張出部（表面から後退して外方に張り出す段部）１Ｂが設けられており、該側辺部と対向する側辺部には、施工にあたり、上記張出部１Ｂが差し込まれる、タイル木端面の後縁側を切り欠いた形状の凹欠部１Ｃが設けられている。また、裏面には、躯体への取り付けのための凹条（アリ溝）１Ｄが形成されている。
【００２０】
本実施例の段付きタイル１は、タイル素地として比較的暗色のものを用いて形成され、本体１Ａの表面５に明色系の釉薬を施釉することにより、張出部１Ｂの表面（以下、張出面という）７の明度よりも高くしている。また、張出部１Ｂと表面５との間の段差面６にあっては、表面５と張出面７との中間の明度の釉薬を施釉している。
【００２１】
このように構成された段付きタイル１は、前記第３図と同様に、張出部１Ｂを上段側の段付きタイル１の凹欠部１Ｃに係合させるように壁面に取付施工される。
【００２２】
このタイル壁にあっては、表面５の明度が最も高く、段差面６の明度がそれよりも低く、張出面７の明度がさらに低くなっているため、目地の陰影が強調され、立体感に富んだ美観に優れた仕上りを得ることができる。
【００２３】
なお、段差面６の全体を同一明度としてもよく、段差面６の一部のみを表面５と張出面７との中間明度としてもよい。例えば、段差面６のうち張出面７側の略半分を該中間明度とし、表面５側については表面５と略同明度としてもよい。また、段差面６を表面５側から張出面７側にかけて次第に低明度となるようにしてもよい。このようにすれば、陰影感が一層強調されるようになる。
【００２４】
この実施の形態では、表面５、段差面６及び張出面７の明度を異ならせるものとしたが、色彩を異ならせ、段差面６の少なくとも一部の色彩を表面５のものと張出面７のものとの中間としてもよい。この場合も、段差面６の張出面７側を中間色彩としてもよく、また表面５側から張出面７側にかけて次第に色彩が張出面７の色彩に近づくようにしてもよい。
【００２５】
第２図に示す段付きタイル１’は、張出部１Ｂが、隣接する２つの側辺部に設けられ、この張出部１Ｂが差し込まれる凹欠部１Ｃが他の２側辺部に設けられているものである。
【００２６】
本実施例の段付きタイル１’においても、タイル素地として比較的暗色のものを用い、本体１Ａの表面に明色系の釉薬を施釉し、段差面６については張出面７と表面５との中間の明度の釉薬を施釉して中間明度としている。このタイル１’を用いてもタイル１と同様に美観に優れたタイル仕上げ面を得ることができる。
【００２７】
この実施例でも、段差面６の一部のみを中間明度としてもよく、例えば、段差面６のうち張出面７側の略半分を該中間明度とし、表面５側については表面５と略同明度としてもよい。また、段差面６を表面５側から張出面７側にかけて次第に低明度となるようにしてもよい。また、表面５、段差面６及び張出面７の色彩を異ならせ、段差面６の少なくとも一部の色彩を表面５のものと張出面７のものとの中間としてもよい。
【００２８】
上記の各実施の形態では、タイル本体１Ａの表面５の明度を張出面７の明度よりも高くしているが、該表面５の明度を張出面７の明度よりも低くしてもよい。即ち、タイル素地として比較的明色のものを用い、本体１Ａの表面５に暗色系の釉薬を施釉し、段差面６に該表面５と張出面７との中間の明度の釉薬を施釉してもよい。
【００２９】
上記の各実施の形態では、張出面７をタイル素地面とし、本体１Ａの表面５に該タイル素地よりも明色系又は暗色系の（あるいは色彩の異なる）釉薬を施釉することにより、該表面５と張出面７との明度（あるいは色彩）を異ならせているが、該表面５をタイル素地面とし、張出面７に該タイル素地よりも明色系又は暗色系の（あるいは色彩の異なる）釉薬を施釉することにより、該表面５と張出面７との明度（あるいは色彩）を異ならせてもよい。
【００３０】
即ち、例えば、タイル素地として明色系のものを用い、張出面７に暗色系の釉薬を施釉し、段差面６に本体表面５（タイル素地）と該張出面７との中間の明度の釉薬を施釉してもよく、あるいは、タイル素地として暗色系のものを用い、張出面７に明色系の釉薬を施釉し、段差面６に本体表面５（タイル素地）と該張出面７との中間の明度の釉薬を施釉してもよい。
【００３１】
本体１Ａの表面５と張出面７とにそれぞれ明度（あるいは色彩）の異なる釉薬を施釉することにより、該表面５と張出面７との明度（あるいは色彩）を異ならせてもよい。
【００３２】
なお、本発明において、施工に用いるタイルの形状や大きさ等には特に制限はない。また、その施工態様においても第３図に示す方法の他、他の様々な方法を採用し得る。
【図面の簡単な説明】
【００３３】
【図１】本発明で使用される段付きタイルの一実施例を示す図であって、各々、第１図の（ａ）図は斜視図、（ｂ）図は（ａ）図のＢ−Ｂ線に沿う断面図である。
【図２】別の実施例のタイルを示す斜視図である。
【図３】タイル施工構造を示す断面図である。
【符号の説明】
【００３４】
１，１’  段付きタイル
１Ｂ  張出部
５  表面
６  段差面
７  張出面
【図１】
2006291600.tif 000003
【図２】
2006291600.tif 000004
【図３】
2006291600.tif 000005